(57)【要約】【課題】側板や大屋根、脚部等の外側から見える部材を透明なアクリル等の材料で構成したグランドピアノについて、さらに見た目の美しさを追求したグランドピアノを提供する。【解決手段】グランドピアノ１は、透明な側板４と、側板４の外側面のうち、フレーム３２の高さ位置よりも下側部分に積層された半透過性の外側積層部４０とを備えている。また、グランドピアノ１は、側板４の内側面のうち、フレーム３２の設置位置よりも下側部分に積層され、反射材で構成される内側被腹部４１と、側板４の下側側面に積層され、反射材で構成された下部積層部４２とを備えている。さらに、グランドピアノ１は、側板４の内側面の最下部に対向する位置に、側板４に沿って並べて配置され、側板４に向かって発光する複数の点光源であるＬＥＤを有する。【選択図】図２
2018054917.tif 000002
【特許請求の範囲】
【請求項１】
響板を取り囲む、透明な材料で構成された側板と、
前記側板の外側面上の下端寄りに前記側板の長手方向に沿って帯形状に積層され、前記側板から受ける光の一部を反射し、前記側板から受ける光の他の一部を透過する半透過性の材料で構成された外側積層部と、
前記側板の内側面のうち前記外側積層部に対向する位置に積層され、前記側板から受ける光を反射する材料で構成された内側積層部と、
前記側板の下側側面に積層され、前記側板から受ける光を反射する材料で構成された下部積層部と、
前記側板の内側面に対向する位置のうち前記外側積層部の最下部に対向する位置に、前記外側積層部の長手方向に沿って並べて配置され、前記側板に向かって発光する複数の点光源を有する発光部と、
を備えるグランドピアノ。
【請求項２】
前記外側積層部は、
前記響板上に設置されるフレームの固定具を覆って隠す位置よりも下側部分に積層されている請求項１に記載のグランドピアノ。
【請求項３】
前記内側積層部は、
前記響板を隠す位置よりも下側部分に積層されている請求項１又は請求項２に記載のグランドピアノ。
【請求項４】
前記発光部は、
前記側板の内側面のうち最下部に対向する位置に配置されていることを特徴とする請求項１〜３のいずれか１項に記載のグランドピアノ。
【請求項５】
前記発光部は、前記側板の内側に設置される積揚を窪ませて設けた設置部に設置されている請求項１〜４のいずれか１項に記載のグランドピアノ。
【請求項６】
前記発光部は、テープ状に形成された本体部と、前記本体部の一方の面上に前記本体部の長手方向に沿って並べて設置された複数の前記点光源とを備えるテープ状光源を、前記側板に沿って張ることによって形成されている請求項１〜５のいずれか１項に記載のグランドピアノ。
【請求項７】
前記点光源はＬＥＤである請求項１〜６のいずれか１項に記載のグランドピアノ。
【発明の詳細な説明】
【技術分野】
【０００１】
本発明は、グランドピアノに関する。
【背景技術】
【０００２】
側板や大屋根、脚部等の外側から見える部材を透明なアクリル等の材料で構成したグランドピアノがある。このグランドピアノは、即板に対向する位置から見た場合、フレームよりも上の部分から側板を介して側板の内側を見ることができるなど、見た目に美しい構成になっている。
【先行技術文献】
【非特許文献】
【０００３】
【非特許文献１】「ＧＲＡＮＤ  ＰＩＡＮＯ」パンフレット、２０１６年６月、河合楽器製作所、Ｐ２１（ＣＲ−４０Ａ）
【発明の概要】
【発明が解決しようとする課題】
【０００４】
本発明は、側板や大屋根、脚部等の外側から見える部材を透明なアクリル等の材料で構成したグランドピアノについて、さらに見た目の美しさを追求したグランドピアノを提供することを目的とする。
【課題を解決するための手段】
【０００５】
請求項１に記載の発明に係るグランドピアノは、響板を取り囲む、透明な材料で構成された側板と、前記側板の外側面上の下端寄りに前記側板の長手方向に沿って帯形状に積層され、前記側板から受ける光の一部を反射し、前記側板から受ける光の他の一部を透過する半透過性の材料で構成された外側積層部と、前記側板の内側面のうち前記外側積層部に対向する位置に積層され、前記側板から受ける光を反射する材料で構成された内側積層部と、前記側板の下側側面に積層され、前記側板から受ける光を反射する材料で構成された下部積層部と、前記側板の内側面に対向する位置のうち前記外側積層部の最下部に対向する位置に、前記外側積層部の長手方向に沿って並べて配置され、前記側板に向かって発光する複数の点光源を有する発光部と、を備える。
本発明のグランドピアノでは、点光源を点灯させると、点光源から発せられた光が外側積層部と内側積層部との間で反射を繰り返し、外側積層部上に下方から上方に向かって光点が並んだ模様が浮かび上がる。
また、本発明のグランドピアノでは、点光源を点灯させると、点光源から発せられた光が下部積層部で反射をして側板内を通って突き抜け、側板の上方に大屋根があれば、大屋根まで届いて、側板の上部側面と大屋根とに点光源による模様が浮かび上がる。
したがって、本発明のグランドピアノは、点光源を点灯させると、側板のうち、外側積層部が積層された部分ばかりでなく、側板の上部側面や大屋根にまで模様が浮かび上がるので、単に側板を透明な材料で構成したグランドピアノに比べ、さらに見た目の美しさを向上させることができる。
本発明のグランドピアノのように、外側積層部は、響板上に設置されるフレームの固定具を覆って隠す位置よりも下側部分に積層されていてもよい。透明な側板を用いた場合、フレームの固定具が見えてしまう場合があるが、本発明のようにすると、フレームの固定具を隠すことができるので、見た目上の美しさを向上させることができる。
本発明のグランドピアノのように、内側積層部は、響板を隠す位置よりも下側部分に積層されていてもよい。このようにすると、内側積層部に相当する構成を響板やその下部に配置される積揚に設け、組み立ての際に、響板及び積揚を側板に当接させれば、側板の内側面に内側積層部が積層されることとなる。
本発明のグランドピアノのように、発光部は、側板の内側面のうち最下部に対向する位置に配置されていてもよい。このようにすると、発光部を配置する位置が明確なので、組み立ての作業者が発光部の配置場所を間違えることを抑制することができる。
本発明のグランドピアノの発光部は、側板の内側に設置される積揚を窪ませて設けた設置部に設置してもよい。設置部は、積揚を削るなどして設けてもよい。このようにすると、発光部は、グランドピアノを構成する積揚その他の材料との緩衝を抑制しつつ、グランドピアノに組み込むことができる。
本発明のグランドピアノの発光部は、テープ状に形成された本体部と、本体部の一方の面上に本体部の長手方向に沿って並べて設置された複数の点光源とを備えるテープ状光源を、側板に沿って張ることによって形成してもよい。このようにすると、テープ状光源を側板に沿って張るだけで、点光源を簡易に設置できる。
本発明のグランドピアノの点光源としては、ＬＥＤを用いてもよい。
【図面の簡単な説明】
【０００６】
【図１】（ａ）本実施形態のグランドピアノの平面図である。（ｂ）本実施形態のグランドピアノの左側面図である。
【図２】（ａ）本実施形態のグランドピアノの平面図であって、大屋根と譜面台を取り払い、響板やフレームが表れるように弦やアクションを取り除いた図である。（ｂ）（ａ）の左側面図である。
【図３】図２（ａ）及び図２（ｂ）の中で矢印で示すＡ−Ａ断面を模式的に示した図である。
【図４】本実施形態のグランドピアノを構成するＬＥＤテープの平面図である。
【図５】本実施形態のグランドピアノが備えるＬＥＤが発光しているときの様子を示す写真である。
【発明を実施するための形態】
【０００７】
以下に本発明の例示的な実施形態について図面を参照しながら説明する。
本実施形態のグランドピアノ１は、図１及び図２に示すように、ピアノ本体３と、３本の脚部５と、大屋根７、突上棒９とを備えている。
ピアノ本体３は、外周壁面をなす側板４を備え、この側板４が響板３０を取り巻いている。響板３０の上方にはフレーム３２等が設置される。響板３０は、側板４で囲まれた空間のうち、ピアノ本体３の深さ方向のほぼ中央位置に設置されている。
３本の脚部５は、ピアノ本体３を床から所定高さの位置に配置するためのものである。
大屋根７は、側板４で囲われた空間の上部側の開口を開閉できるように、側板４に対して、蝶番を用いて取り付けられている。
本実施形態のグランドピアノ１を構成する側板４、脚部５、大屋根７や、突上棒９などは、透明な材料（例えば、アクリル）で構成されている。
次に、図３を用いて、側板４の周囲の構造について説明する。
本実施形態のグランドピアノ１の側板４の外側面には、外側積層部４０が積層される。外側積層部４０は、側板４を外側から見たとき、側板４の下端から、フレーム３２の固定具３３を覆って隠す高さ位置までの部分に積層されている。この外側積層部４０は、シート状の半透過性の材料であり、側板４の長手方向に沿って帯形状に積層される。この外側積層部４０は、側板４から受ける光の一部を反射し、側板４から受ける光の他の一部を透過する。
本実施形態のグランドピアノ１の側板４の内側面には、内側積層部４１が積層される。内側積層部４１は鏡面シールで構成されている。本実施形態のグランドピアノ１は、側板４の内側面に響板３０と後述する積揚８とが接触した状態で組み立てられる。内側積層部４１は、これら響板３０及び積揚８が側板４に接触する部分に積層される。この内側積層部４１は、側板４から受ける光を反射する。
本実施形態のグランドピアノ１は、側板４の内側面のうち、内側積層部４１が積層される部分に隣接して積揚８が備えられている。この積揚８は、側板４の長手方向に沿って設けられた長尺な形状の材料である。
本実施形態のグランドピアノ１は、ステンレス製の長尺形状の平板を形成する下部積層部４２が側板４及び積揚８の下面に設置される。
積揚８には、後述するテープ状光源６を設置するための設置部８０が設けられる、この設置部８０は、側板４の内側面の最下部に対向する位置に設けられた窪みである。尚、前述した内側積層部４１は、設置部８０に対向する位置には設けられていない。
テープ状光源６は、図４に示すように、テープ状に形成された本体部６０と、本体部６０の一方の面上に本体部６０の長手方向に沿って並べて設置された複数の点光源であるＬＥＤ６１とを備えている。テープ状光源６は、側板４に出射した光が当たるように、積揚８の設置部８０に設置される。このようにテープ状光源６を設置することによって、複数のＬＥＤ６１が、側板４の内側面の最下部に対向する位置に、側板４に沿って並べて配置されることになる。
本実施形態のグランドピアノ１では、ＬＥＤ６１を点灯させると、ＬＥＤ６１から発せられた光が外側積層部４０と内側積層部４１との間で反射を繰り返し、図５に示すように、外側積層部４０上に下方から上方に向かって光点が並んだ模様が浮かび上がる。
また、実施形態のグランドピアノ１では、ＬＥＤ６１を点灯させると、ＬＥＤ６１から発せられた光が下部積層部４２で反射をして側板４内を通って突き抜け、側板４の上方に大屋根７があれば、大屋根７まで届いて、側板４の上部側面４３（図２（ａ）参照）と大屋根７とにＬＥＤ６１による模様が浮かび上がる。
したがって、本実施形態のグランドピアノ１は、ＬＥＤ６１を点灯させると、側板４のうち、外側積層部４０が積層された部分ばかりでなく、側板４の上部側面４３（図２（ａ）参照）や大屋根７にまで模様が浮かび上がるので、単に側板４を透明な材料で構成したグランドピアノ１に比べ、さらに見た目の美しさを向上させることができる。
また、本実施形態のＬＥＤ６１は、側板４の内側に設置される積揚８を窪ませて設けた設置部８０に設置している。このようにすると、ＬＥＤ６１は、グランドピアノ１を構成する積揚８その他の材料との緩衝を抑制しつつ、グランドピアノ１に組み込まれる。
［他の実施形態］
以上、実施形態について説明したが、特許請求の範囲に記載された発明は、上記実施形態に限定されることなく、種々の形態を採り得ることは言うまでもない。
（１）上記実施形態では、テープ状光源６を用いてＬＥＤ６１を設置したが、積揚８の設置部８０にＬＥＤ６１を１つ１つ並べて設置してもよい。
（２）上記実施形態では、外側積層部４０は、側板４の外側面上の下端寄りに側板４の長手方向に沿って帯形状に積層されていればよく、上記実施例は、一例にすぎない。
また、上記実施形態では、外側積層部４０は、シート状の半透明の材料を用いて形成したが、塗装、メッキなどにより形成してもよい。
（３）上記実施形態では、内側積層部４１は、側板４の内側面のうち外側積層部４０に対向する位置に積層されていればよく、上記実施例は、一例にすぎない。
上記実施形態では、内側積層部４１を鏡面シールで形成したが、塗装、メッキなどで形成してもよい。
（４）上記実施形態では、下部積層部４２をステンレスで形成したが、他の材料を用いてもよく、塗装、メッキなどで形成してもよい。
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【０００８】
１…グランドピアノ、３…ピアノ本体、４…側板、５…脚部、６…テープ状光源、
７…大屋根、８…積揚、９…突上棒、３０…響板、３２…フレーム、３３…固定具、
４０…外側積層部、４１…内側積層部、４２…下部積層部、４３…上部側面、
６０…本体部、６１…ＬＥＤ、８０…設置部。
【図１】
2018054917.tif 000003
【図２】
2018054917.tif 000004
【図３】
2018054917.tif 000005
【図４】
2018054917.tif 000006
【図５】
2018054917.tif 000007